(57)【要約】【課題】  黒曜石のマイナスイオン及び遠赤外線により、体内の血液循環を良く健康と美容に役立つ風呂湯の改善である。【解決手段】  長野県和田峠産黒曜石イオンボールの開発により発生するマイナスイオン測定、１ボール（Φ１０ｍｍ）当たり２７００個１ＣＣ（株式会社佐藤商事  型式ＣＯＭ−３０１０ＰＲＯ使用）マイナスイオンが発生する。今回家庭風呂用イオン発生装置は２０秒間で７０００個以上のマイナスイオンが測定結果である。現在のところ黒曜石イオンボール効能効果は類が無いと思う。上記の開発により、塩素の含まれた消毒水での風呂が全面解決ができ天然温泉同様の効能効果が家庭、又は、ホテルに・岩盤浴に使用が出来る、簡単にコンパクトでメンテナスが少なく出来る活気的な開発である。大型に製作し、営業用岩盤浴並びにサウナ等の使用が出来、又、福祉関係に役立っています。当社品名（やく石の湯）岩盤浴覧、インターネットに公開してあります。【特許請求の範囲】
【請求項１】
家庭又は、ホテル風呂の循環アダプターに簡単に取り付けが出来、湯の循環抵抗力を応用し、マイナスイオンを発生させる装置である。
【請求項２】
黒曜石とリンサンエン鉱物を粉末に加工して、８００℃〜９００℃加工セラミックスボウルに仕上げる事により、人体に良い強力マイナスイオンが発生できる製品を開発。
【請求項３】
長野県和田峠産の黒曜石を永年研究した結果、黒曜石にリンサンエンを混合した結果、他には無いマイナスイオン又、人体に良い成分が出来たのです。
黒曜石イオンボールから出るマイナスイオンは１ボール（Φ１０ｍｍ）当り２７００個１ＣＣ（株式会社佐藤商事形式ＣＯＭ−３０１０ＰＲＯ使用）の測定が出来た。
今回開発された（図１）容器からは、上記の佐藤会社の測定で８０００個ＩＣＣ以上のマイナスイオンが出る装置を開発。
【請求項４】
浴槽の循環アダプターに（図１）の容器を取り付けて、湯の循環により浴槽の湯全体が化粧水と同様のイオンお風呂になる。
【発明の詳細な説明】
【技術分野】
【０００１】  本発明は浴槽のお湯を循環しながら、浴槽アダプターにマイナスイオン発生鉱石類（トルマリン鉱石・黒曜石・リンサンエン鉱物・麦飯石・北投石・ゲルマニューム・等の鉱石マイナスイオン生成材等）を加工して（図１）容器に入てアダプターに取り付ける装置である。
【背景技術】
【０００２】  近年、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているが鉱石の量が小量でお湯圧力が無い為、湯壷の中に置くだけではイオンの発生が不可能である。
【発明の開示】
【発明が解決しようとする課題】
【０００３】  本発明はこのような従来の問題点に着目してなされたものであり、一般の浴槽又は・ホテルの湯壷でイオン発生装置を持ち得る事により、鉱石特有のイオンが発生し、健康と美肌、及び身体の老廃物を多量の発汗により解毒出来る装置である。
【課題を解決するための手段】
【０００４】  上記目的を達成するために、本発明により塩素の含まれた水道水、又人体に与える有害水等を自動的にマイナスイオン・遠赤外線・抗菌作用を発生させて身体に良い湯に変える事が出来る装置を永年の研究と実験で実証が出来た。
サウナ・岩盤浴・家庭用の風呂・ホテルの浴槽関係等の温水を自動的に浴槽の中で作成が出来、温熱効果の良い温水風呂に変化する事が出来る装置である。【０００５】  私共の体験から装置の説明は下記の通りである。
循環アダプター付の浴槽が多くの家庭、又は、ホテルに使用されている浴槽に循環アダプターに（図１）黒曜石とリンサンエン鉱物を微粉砕しセラミックスボールに加工したマイナスイオン発生ボールを、（図２）のアダプターにセットして（図３）の組み立てたアダプターに（図３−７）をとりつける。
浴槽のお湯焚きスイッチを入れると、自動的に今回開発を行った循環アダプターの中を温水が特殊黒曜石ボールに接触しながら流通してマイナスイオンが発生する装置である。
【発明の効果】
【０００６】  トルマリン鉱石は人体に効能効果がある薬石として世間で数多くの色々な方法で使用されている鉱石である。特にトルマリン鉱石を飲料水に多く使用されている鉱石をお風呂に使用する事により身体全体の活性化が出来る鉱石である。【０００７】黒曜石は昔から健康水として黒曜石を色々な方法で加工されて使用している。
特許出願者荻原大が開発した数多くのサウナ関係及び岩盤浴関係に関して黒曜石使用方法を開発し使用した事は、類の無い開発である。【０００８】  リンサンエン鉱物と黒曜石を混合する事により、強力な人体に良いマイナスイオン・遠赤外線等が測定の結果証明が出来た。
【発明を実施するための最良の形態】
【０００９】  使用する黒曜石は産地として有名な長野県和田峠産であり、その成分含有率の一例を表１に示す。
【表１】
2008161626.tif 000002
【００１０】  提出日平成１８年９月３日整理番号Ｐ０４０Ｐ０１特許出願人・荻原大・荻原善知の申請と異なる所があります。
【符号の説明】
１    特殊黒曜石ボール。
２    中縁。
３    外周アダプター。
４    アダプター止め金（スプリング）。
５    アミ。
６    吸い込み矢印。
７    特殊黒曜石ボール入りのアダプター。
８    フィルター。
９    フィルターガイド。
１０  オネジ。
１１  平ヒート。
１２  平パッキング。
１３  Ｏリング。
１４  カブセパッキング。
１５  循環口ボデー。
１６  浴槽。
１７  循環アダプター取り付け場所。
2008161626.tif 000003
【図１】
2008161626.tif 000004
【図２】
2008161626.tif 000005
【図３】
2008161626.tif 000006
【図４】
2008161626.tif 000007
【手続補正書】
【提出日】平成19年3月2日(2007.3.2)
【手続補正１】
【補正対象書類名】明細書
【補正対象項目名】全文
【補正方法】変更
【補正の内容】
【発明の詳細な説明】
【技術分野】
【０００１】  本発明は浴槽のお湯を循環しながら、浴槽アダプターにマイナスイオン発生鉱石類（トルマリン鉱石・黒曜石・リンサンエン鉱物・麦飯石・北投石・ゲルマニューム・等の鉱石マイナスイオン生成材等）を加工して（図１）容器に入れてアダプターに取り付ける装置である。
【背景技術】
【０００２】  近年、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているが鉱石の量が小量でお湯圧力が無い為、湯壷の中に置くだけではイオンの発生が不可能である。
【発明の開示】
【発明が解決しようとする課題】
【０００３】  本発明はこのような従来の問題点に着目してなされたものであり、一般の浴槽又は・ホテルの湯壷でイオン発生装置を持ち得る事により、鉱石特有のイオンが発生し、健康と美肌、及び身体の老廃物を多量の発汗により解毒出来る装置である。
【課題を解決するための手段】
【０００４】  上記目的を達成するために、本発明により塩素の含まれた水道水、又人体に与える有害水等を自動的にマイナスイオン・遠赤外線・抗菌作用を発生させて身体に良い湯に変える事が出来る装置を永年の研究と実験で実証が出来た。
サウナ・岩盤浴・家庭用の風呂・ホテルの浴槽関係等の温水を自動的に浴槽の中で作成が出来、温熱効果の良い温水風呂に変化する事が出来る装置である。【０００５】  私共の体験から装置の説明は下記の通りである。
循環アダプター付の浴槽が多くの家庭、又は、ホテルに使用されている浴槽に循環アダプターに１黒曜石とリンサンエン鉱物を微粉砕しセラミックスボールに加工したマイナスイオン発生ボールを、（図１）アダプターにセットして（図２）組み立てたアダプターをとりつける。
浴槽のお湯焚きスイッチを入れると、自動的に今回開発を行った循環アダプターの中を温水が特殊黒曜石ボールに接触しながら流通してマイナスイオンが発生する装置である。
【発明の効果】
【０００６】  トルマリン鉱石は人体に効能効果がある薬石として世間で数多くの色々な方法で使用されている鉱石である。特にトルマリン鉱石を飲料水に多く使用されている鉱石をお風呂に使用する事により身体全体の活性化が出来る鉱石である。【０００７】黒曜石は昔から健康水として黒曜石を色々な方法で加工されて使用している。
特許出願者荻原大が開発した数多くのサウナ関係及び岩盤浴関係に関して黒曜石使用方法を開発し使用した事は、類の無い開発である。【０００８】  リンサンエン鉱物と黒曜石を混合する事により、強力な人体に良いマイナスイオン・遠赤外線等が測定の結果証明が出来た。１ボール（Φ１０ｍｍ）当たり２７００個１ＣＣ（株式会社佐藤商事形式ＣＯＭ−３０１０ＰＲＯ使用）の測定です、今回の開発アダプターから１ｃｍリッポー２０秒間で８０００個以上のマイナスイオが発生する。
【発明を実施するための最良の形態】
【０００９】  使用する黒曜石は産地として有名な長野県和田峠産であり、その成分含有率の一例を表１に示す。
【表１】
2008161626.tif 000008
【００１０】  提出日平成１８年９月３日整理番号Ｐ０４０Ｐ０１特許出願人・荻原大・荻原善知の申請と異なる所があります。
【図面の簡単な説明】
【００１１】
【図１】マイナスイオン発生装置アダプター立体図です。１特殊強力マイナスイオン発生鉱石ボールの開発により約５０個の１イオンボールを搬入するアダプター容器の立体図です。
【図２】風呂追焚き口に今回の開発した１アダプターを取り付けた全体立体図です。
【図３】（図１）アダプター容器の中１マイナスイオン発生ボール、２中縁３外周アダプターを組み合わせした横断面図です。
【図４】（図３）のアダプターの縦断面図です。４留め金スプリングで１７循環追焚き口に、１マイナスイオン発生ボール、２中縁、３外周アダプター、５イオンボール固定アミセット一式を、１７追炊き口に取り付け差込む方式です。６風呂湯の流れが矢印の方向に循環され特殊強力マイナスイオンに湯が振れ、１６湯壷の湯がマイナスイオン癒の湯となる装置です。
【図５】循環追焚き口の分解をした立体図です。８フィルター９フィルターガード、１０オネジ、１１平ヒート、１２平パッキング、１３Ｏリング、１４カブセパッキング、を組み合わせて、１５循環口ボデーに（Ａ図）アダプターをワンタッチで差し込むだけでＯＫです。
【図６】浴槽の断面図です。１６浴槽の縁、１７循環アダプター取り付け場所です。
【符号の説明】
【００１２】１    特殊黒曜石ボール。
２    中縁。
３    外周アダプター。
４    アダプター止め金（スプリング）。
５    アミ。
６    吸い込み矢印。
７    縁留め金具。
８    フィルター。
９    フィルターガイド。
１０  オネジ。
１１  平ヒート。
１２  平パッキング。
１３  Ｏリング。
１４  カブセパッキング。
１５  循環口ボデー。
１６  浴槽。
１７  循環アダプター取り付け場所。
【手続補正２】
【補正対象書類名】図面
【補正対象項目名】全図
【補正方法】変更
【補正の内容】
【図１】
2008161626.tif 000009
【図２】
2008161626.tif 000010
【図３】
2008161626.tif 000011
【図４】
2008161626.tif 000012
【図５】
2008161626.tif 000013
【図６】
2008161626.tif 000014